(57)【要約】【解決手段】上部フレームｃ１と底部ｃ２はね上げ側壁ｃ３と上部分割側壁ｃ４と下部分割側壁ｃ５とを有する折り畳みコンテナーＣの上部フレームｃ１の内面に、ラベルＬが貼着されるラベル貼着領域Ｒを形成したものである。【効果】上部フレームｃ１と底部ｃ２はね上げ側壁ｃ３と上部分割側壁ｃ４と下部分割側壁ｃ５とを有する折り畳みコンテナーＣの上部フレームｃ１の内面に、ラベルＬが貼着されるラベル貼着領域Ｒを形成したので、折り畳みコンテナーＣへの物品収納作業の際に、ラベルが貼着されるラベル貼着領域が、側壁の外面に形成された従来の運搬容器への物品収納作業の際のように、作業者Ｐが、ラベルＬの表示を見るために、折り畳みコンテナーＣから離れる必要がないので、折り畳みコンテナーＣへの物品収納作業の作業性が向上する。【選択図】図１
2008013193.tif 000002
【特許請求の範囲】
【請求項１】
相対する側壁のうちの一方の側壁の内面の上部に、ラベルが貼着されるラベル貼着領域が形成されていることを特徴とする運搬用容器。
【請求項２】
相対する側壁のうちの一方の側壁の内面の上部の一方の端部領域に、ラベルが貼着されるラベル貼着領域が形成されていることを特徴とする請求項１に記載の運搬用容器。
【請求項３】
運搬用容器を、上部フレームと底部とはね上げ側壁と上部分割側壁と下部分割側壁とからなる折り畳みコンテナーとするとともに、ラベル貼着領域に、ラベル貼着領域からのラベルの剥離を容易にするためのリブや梨地加工が施されていることを特徴とする請求項１又は請求項２に記載の運搬用容器。
【発明の詳細な説明】
【技術分野】
【０００１】
本発明は、種々の物品の保管、輸送或いは搬送等に使用される、折り畳みコンテナーや全体が一体的に成形された、所謂、ボックスコンテナー等の運搬用容器に関するものである。
【背景技術】
【０００２】
以下に、内側方向に回動可能な側壁（以下、この側壁を、はね上げ側壁という。）を有する運搬用容器の１つである折り畳みコンテナーを例に、背景技術について説明する。
【０００３】
従来、上部フレームと、底部と、上部フレームにその上部水平部がヒンジ連結された、折り畳みコンテナーの内側方向に回動可能なはね上げ側壁と、上部分割側壁と、上部分割側壁とからなり、上部分割側壁の上部水平部が、上部フレームにヒンジ連結されており、また、上部分割側壁の下部水平部と下部分割側壁の上部水平部とが、互いにヒンジ連結されており、更に、下部分割側壁の下部水平部が、底部にヒンジ連結されている運搬用容器の１つである折り畳みコンテナーが知られている。
【０００４】
そして、箱型に組み立てられた折り畳みコンテナーに収納される物品が表示されたラベルを、下部分割側壁の外面に貼着した折り畳みコンテナーが、一例として、特許文献１に開示されている。
【０００５】
次に、図６〜図１０を用いて、上述した従来の箱型に組み立てられた折り畳みコンテナーへの物品の収納作業について説明する。
【０００６】
図６に示されているように、折り畳みコンテナーＣ’は、額縁状の上部フレームｃ１と、底部ｃ２と、上部フレームｃ１の短辺側ｃ１ａに、その上部水平部がヒンジ連結された、折り畳みコンテナーの内側方向に回動可能なはね上げ側壁ｃ３と、上部分割側壁ｃ４と、下部分割側壁ｃ５とから構成されており、上部分割側壁ｃ４の上部水平部は、上部フレームｃ１の長辺側ｃ１ｂにヒンジ連結されており、また、上部分割側壁ｃ４の下部水平部と下部分割側壁ｃ５の上部水平部とは、互いにヒンジ連結されており、更に、下部分割側壁ｃ５の下部水平部は、底部ｃ２の長辺側ｃ２ａにヒンジ連結されている。
【０００７】
図６に示されているように、箱型に組み立てられた状態から、図７に示されているように、略垂直状態のはね上げ側壁ｃ３を、略水平状態に回動させ、次いで、上部分割側壁ｃ４と下部分割側壁ｃ５とを重ねることにより、図８に示されているように、高さの低いコンパクトな状態に折り畳むことができるように構成されている。
【０００８】
また、図８に示されているように、折り畳まれた状態の折り畳みコンテナーＣ’を、図６に示されているように、箱型に組み立てるには、上部フレームｃ１を上方に持ち上げる。上部フレームｃ１を上方に持ち上げると、上部分割側壁ｃ４と下部分割側壁ｃ５とは、重ねられた状態から、略面一状態となり、また、はね上げ側壁ｃ３は、略水平状態から略垂直状態に回動し、図６に示されているような箱型に組み立てられることになる。
【０００９】
また、上述した従来の折り畳みコンテナーＣ’においては、下部分割側壁ｃ５の外面に、箱型に組み立てられた折り畳みコンテナーＣ’に収納される物品が表示されたラベルＬ’が貼着されている。
【００１０】
次に、図９及び図１０を用いて、上述した従来の折り畳みコンテナーＣ’への物品の収納作業について説明する。
【００１１】
Ｔは、箱型に組み立てられた折り畳みコンテナーＣ’が載置されるローラーコンベヤや細長テーブル等の折り畳みコンテナーＣ’の載置部材であり、載置部材Ｔは、種々の物品が収容されている棚部材Ｓに沿って配置されている。
【００１２】
作業者Ｐは、棚部材Ｓと反対側の載置部材Ｔ付近に立って、ラベルＬ’を見て、ラベルＬ’に表示されている物品を、ラベルＬ’に表示されている順番に、棚部材Ｓの所定の棚から取り出し、載置部材Ｔに載置されている箱型に組み立てられた折り畳みコンテナーＣ’に収納することになる。
【００１３】
例えば、ラベルＬ’を見て、ラベルＬ’に表示されている第１番目の物品ａ１を、棚部材Ｓの棚ｓ１から取り出し、箱型に組み立てられた折り畳みコンテナーＣ’に収納し、次いで、ラベルＬ’を見て、ラベルＬ’に表示されている第２番目の物品ａ２を、棚部材Ｓの棚ｓ２から取り出し、箱型に組み立てられた折り畳みコンテナーＣ’に収納する。次いで、箱型に組み立てられた折り畳みコンテナーＣ’を、図９の二点鎖線で示されている位置まで、載置部材Ｔ上をスライドさせ、その後、ラベルＬ’を見て、ラベルＬ’に表示されている第３番目の物品ａ３を、棚部材Ｓの棚ｓ１から取り出し、箱型に組み立てられた折り畳みコンテナーＣ’に収納し、次いで、ラベルＬ’を見て、ラベルＬ’に表示されている第４番目の物品ａ４を、棚部材Ｓの棚ｓ２から取り出し、箱型に組み立てられた折り畳みコンテナーＣ’に収納する。このようにして、棚部材Ｓに収容されている種々の物品を、箱型に組み立てられた折り畳みコンテナーＣ’に収納する物品収納作業が行われることになる。
【００１４】
上述したように、折り畳みコンテナーＣ’は、一例として、特許文献１に開示されている。
【００１５】
【特許文献１】特開２００１−１０６３７号公報
【発明の開示】
【発明が解決しようとする課題】
【００１６】
上述した従来の折り畳みコンテナーＣ’においては、箱型に組み立てられた折り畳みコンテナーＣ’の下部分割側壁ｃ５の外面に、ラベルＬ’が貼着されているために、物品収納作業の際には、作業者Ｐは、ラベルＬ’の表示を見るために、図１０に示されている二点鎖線の位置から、実線で示されている位置まで、箱型に組み立てられた折り畳みコンテナーＣ’から離れるとともに、目ｐ１を、略真下に落とさなければならず、次いで、棚部材Ｓから物品を取り出すために、実線で示されている位置から、二点鎖線の位置まで戻って、載置部材Ｔに載置されている箱型に組み立てられた折り畳みコンテナーＣ’及び棚部材Ｓに近づき、その後、物品を、棚部材Ｓから取り出すことになる。
【００１７】
上述したように、下部分割側壁ｃ５の外面に、ラベルＬ’が貼着されている従来の折り畳みコンテナーＣ’を用いて、物品収納作業を行う場合には、箱型に組み立てられた折り畳みコンテナーＣ’への物品の収納毎に、作業者Ｐは、ラベルＬ’の表示を見るために、箱型に組み立てられた折り畳みコンテナーＣ’から少し離れるとともに、目ｐ１を、略真下に落として、ラベルＬ’の表示を見て、ラベルＬ’の表示を確認し、その後、載置部材Ｔに載置されている箱型に組み立てられた折り畳みコンテナーＣ’及び棚部材Ｓに近づき、棚部材Ｓから物品を取り出すことになるので、箱型に組み立てられた折り畳みコンテナーＣ’への物品の収納作業の作業性が悪いとともに、作業者Ｐの労働負担が大きいという問題があった。
【００１８】
また、空の箱型に組み立てられた折り畳みコンテナーＣ’を、折り畳む際には、上述したように、略垂直状態のはね上げ側壁ｃ３を、上方に回動させて、図７に示されているように、略水平状態とし、次いで、上部分割側壁ｃ４と下部分割側壁ｃ５とを重ねることにより、箱型に組み立てられた折り畳みコンテナーＣ’を、図８に示されているように、高さの低いコンパクトな状態に折り畳むことになるが、はね上げ側壁ｃ３の略垂直状態から略水平状態への回動作業の際に、はね上げ側壁ｃ３の上部フレームｃ１の長辺側ｃ１ｂと対向する側面ｃ３ａが、上部フレームｃ１を構成する長辺側ｃ１ｂの内面ｃ１ｂ’と面接触する場合がある。このように、はね上げ側壁ｃ３の上部フレームｃ１と対向する側面ｃ３ａと、上部フレームｃ１を構成する長辺側ｃ１ｂの内面ｃ１ｂ’とが面接触すると、はね上げ側壁ｃ３の略垂直状態から略水平状態への回動作業の際の抵抗が大きくなり、はね上げ側壁ｃ３の回動作業の作業性が悪くなるという問題があった。
【００１９】
上述したはね上げ側壁ｃ３の回動作業の作業性が悪くなるという問題は、折り畳まれた状態の折り畳みコンテナーＣ’を、箱型に組み立てる際にも問題になる。即ち、折り畳まれた状態の折り畳みコンテナーＣ’を、箱型に組み立てる際には、上述したように、上部フレームｃ１を上方に持ち上げることにより、重ねられた状態の上部分割側壁ｃ４と下部分割側壁ｃ５とが、図６に示されているように、略面一状態になり、更に、略水平状態のはね上げ側壁ｃ３が、略水平状態から略垂直状態に回動することになるが、はね上げ側壁ｃ３の上部フレームｃ１の長辺側ｃ１ｂと対向する側面ｃ３ａと、上部フレームｃ１を構成する長辺側ｃ１ｂの内面ｃ１ｂ’とが面接触状態にある場合には、はね上げ側壁ｃ３の略水平状態から略垂直状態への回動が円滑に行われず、作業者Ｐが、略水平状態のはね上げ側壁ｃ３を、略垂直状態へ回動させなければならず、従って、折り畳まれた状態の折り畳みコンテナーの箱型状態への組み立て作業の作業性が悪いという問題があった。
【００２０】
本発明の目的は、上述した従来の折り畳みコンテナーが有する課題を解決することにある。
【課題を解決するための手段】
【００２１】
本発明は、上述した目的を達成するために、第１には、運搬容器の相対する側壁のうちの一方の側壁の内面の上部に、ラベルが貼着されるラベル貼着領域を形成したものであり、第２には、運搬容器の相対する側壁のうちの一方の側壁の内面の上部の一方の端部領域に、ラベルが貼着されるラベル貼着領域を形成したものであり、第３には、運搬容器を、上部フレームと底部とはね上げ側壁と上部分割側壁と下部分割側壁とからなる折り畳みコンテナーとするとともに、ラベル貼着領域に、ラベル貼着領域からのラベルの剥離を容易にするためのリブや梨地加工を施したものである。
【発明の効果】
【００２２】
運搬容器の相対する側壁のうちの一方の側壁の内面の上部に、ラベルが貼着されるラベル貼着領域を形成したので、運搬容器への物品収納作業の際に、ラベルが貼着されるラベル貼着領域が、側壁の外面に形成された従来の運搬容器への物品収納作業の際のように、作業者が、ラベルの表示を見るために、運搬容器から離れる必要がないので、運搬容器への物品収納作業の作業性が向上する。
【００２３】
運搬容器の相対する側壁のうちの一方の側壁の内面の上部の一方の端部領域に、ラベルが貼着されるラベル貼着領域を形成したので、作業者が、ラベル貼着領域Ｒ付近から、順番に、物品を収納するような取り決めと相まって、折り畳みコンテナーからの所定の物品の取り出しが容易になり、従って、箱型に組み立てられた折り畳みコンテナーに収納されている物品の取り出し作業の作業性が向上する。
【００２４】
運搬容器を、上部フレームと底部とはね上げ側壁と上部分割側壁と下部分割側壁とからなる折り畳みコンテナーとするとともに、ラベル貼着領域に、ラベル貼着領域からのラベルの剥離を容易にするためのリブや梨地加工を施したので、はね上げ側壁の略垂直状態から略水平状態への回動作業の際の抵抗、或いは、はね上げ側壁の略水平状態から略垂直状態への回動作業の際の抵抗が、共に小さくなり、よって、はね上げ側壁の回動が、円滑に行われ、はね上げ側壁の回動作業の作業性が向上する。
【発明を実施するための最良の形態】
【００２５】
以下に、本発明の実施例について説明するが、本発明の趣旨を越えない限り何ら、本実施例に限定されるものではない。また、上述した従来の折り畳みコンテナーＣ’と同じ構成部材、例えば、上部フレームｃ１や底部ｃ２やはね上げ側壁ｃ３や上部分割側壁ｃ４や下部分割側壁ｃ５については、同じ符号を使用するとともに、その具体的な説明は省略する。また、箱型に組み立てられた本発明の折り畳みコンテナーを、折り畳む工程や、折り畳まれた状態の本発明の折り畳みコンテナーを、箱型に組み立てる工程は、上述した折り畳みコンテナーＣ’と同じであるので、本発明の折り畳みコンテナーの折り畳み工程や箱型への組み立て工程の説明は省略する。
【００２６】
本発明の折り畳みコンテナーＣにおいては、箱型に組み立てられた折り畳みコンテナーＣに収納される物品が表示されたラベルＬは、図３に示されているように、上部フレームｃ１を構成する長辺側ｃ１ｂの内面ｃ１ｂ’に形成されたラベル貼着領域Ｒに貼着されている。特に、ラベルＬを貼着するラベル貼着領域Ｒは、図１等に示されているように、上部フレームｃ１を構成する長辺側ｃ１ｂの内面ｃ１ｂ’の両端部領域のうち、一方の端部領域付近に形成されることが好ましい。
【００２７】
上述したように、ラベルＬが、上部フレームｃ１を構成する長辺側ｃ１ｂの内面ｃ１ｂ’に形成されたラベル貼着領域Ｒに貼着されているので、箱型に組み立てられた折り畳みコンテナーへの物品の収納作業における作業者ＰからラベルＬまでの距離Ｄ１（ラベルＬから作業者Ｐの目ｐ１までの水平距離）が、従来の箱型に組み立てられた折り畳みコンテナーへの物品の収納作業における作業者ＰからラベルＬ’までの距離Ｄ２（ラベルＬ’から作業者Ｐの目ｐ１までの水平距離）に較べて長くなる。このことは、本願発明の折り畳みコンテナーＣにおける、作業者ＰがラベルＬを見る伏角（ラベルＬを見る目ｐ１の視線とラベルＬの垂直面とのなす角度）θ１が、上述した従来の折り畳みコンテナーＣ’における、作業者ＰがラベルＬ’を見る伏角（ラベルＬ’を見る目ｐ１の視線とラベルＬ’の垂直面とのなす角度）θ２より、大きいことを意味する。
【００２８】
従って、箱型に組み立てられた本願の折り畳みコンテナーＣへの物品収納作業の際には、上述した従来の折り畳みコンテナーＣ’への物品収納作業の際のように、作業者Ｐが、ラベルＬ’の表示を見るために、箱型に組み立てられた折り畳みコンテナーＣ’から離れる必要がないので、箱型に組み立てられた本願の折り畳みコンテナーＣへの物品収納作業の作業性が向上することになる。
【００２９】
また、上述したように、ラベルＬは、上部フレームｃ１を構成する長辺側ｃ１ｂの内面ｃ１ｂ’の両端部領域のうち、一方の端部領域付近に形成されるラベル貼着領域Ｒに貼着されることが好ましい。このように構成するとともに、作業者Ｐは、ラベル貼着領域Ｒに貼着されているラベルＬ付近に、最初の物品ａ１を収納し、次いで、次の物品ａ２を、例えば、最初に収納された物品ａ１の手前（作業者Ｐから見て）に収納し、更に、次の物品ａ３を、例えば、１番目に収納された物品ａ２の左側（作業者Ｐから見て）に収納し、更にまた、次の物品ａ４を、例えば、３番目に収納された物品ａ３の手前（作業者Ｐから見て）に収納するような取り決めをしておくことにより、販売店等において、物品ａ１〜ａ４が収納された折り畳みコンテナーＣから、物品ａ１〜ａ４を取り出し、販売店の棚等へ載置する際に、物品ａ１〜ａ４が、ランダムに箱型に組み立てられた折り畳みコンテナーＣに収納されている場合に較べて、販売店の所定の棚に載置される物品ａ１〜ａ４を、箱型に組み立てられた折り畳みコンテナーＣから探し出す必要がないので、箱型に組み立てられた折り畳みコンテナーＣに収納されている物品ａ１〜ａ４の取り出し作業の作業性が向上することになる。
【００３０】
また、上部フレームｃ１を構成する長辺側ｃ１ｂの内面ｃ１ｂ’に形成されるラベル貼着領域Ｒには、長辺側ｃ１ｂの内面ｃ１ｂ’から突出したリブｒ１や梨地が施されている。このように、ラベル貼着領域Ｒに、リブｒ１や梨地を形成することにより、ラベル貼着領域Ｒに貼着されたラベルＬの剥離が容易になる。
【００３１】
また、上述したように、ラベル貼着領域Ｒに、長辺側ｃ１ｂの内面ｃ１ｂ’から突出したリブｒ１や梨地を施すことにより、はね上げ側壁ｃ３の略水平状態から略垂直状態への回動（折り畳みコンテナーＣの組み立て作業時）の際に、或いは、はね上げ側壁ｃ３の略垂直状態から略水平状態への回動（折り畳みコンテナーＣの折り畳み作業時）の際に、はね上げ側壁ｃ３の上部フレームｃ１と対向する側面ｃ３ａと、上部フレームｃ１を構成する長辺側ｃ１ｂの内面ｃ１ｂ’とが、上述し従来の折り畳みコンテナーＣ’のような面接触ではなく、線接触や点接触となり、従って、はね上げ側壁ｃ３の略垂直状態から略水平状態への回動作業の際の抵抗、或いは、はね上げ側壁ｃ３の略水平状態から略垂直状態への回動作業の際の抵抗が、共に小さくなり、よって、はね上げ側壁ｃ３の回動が、円滑に行われ、はね上げ側壁ｃ３の回動作業の作業性が向上することになる。
【００３２】
図４に示されている実施例は、上部フレームｃ１を構成する長辺側ｃ１ｂの内面ｃ１ｂ’に形成されるラベル貼着領域Ｒを凹ますことにより、ラベル貼着領域Ｒに凹部ｒ２を形成したものである。そして、ラベルＬは、凹部ｒ２を構成する奥壁面ｒ２ａに貼着されることになる。なお、凹部ｒ２の奥壁面ｒ２ａに、梨地加工を施すことことが好ましい。このように、凹部ｒ２の奥壁面ｒ２ａに、梨地加工を施すことにより、ラベル貼着領域Ｒに貼着されたラベルＬの剥離が容易になる。
【００３３】
上述したように、ラベルＬを、上部フレームｃ１を構成する長辺側ｃ１ｂの内面ｃ１ｂ’のラベル貼着領域Ｒに形成された凹部ｒ２の奥壁面ｒ２ａに貼着することにより、はね上げ側壁ｃ３の略水平状態からの略垂直状態への回動（折り畳みコンテナーＣの組み立て作業時）も際、或いは、はね上げ側壁ｃ３の略垂直状態からの略水平状態への回動（折り畳みコンテナーＣの折り畳み作業時）の際に、はね上げ側壁ｃ３の上部フレームｃ１と対向する側面ｃ３ａが、ラベルＬに接触することがないので、上部フレームｃ１を構成する長辺側ｃ１ｂの内面ｃ１ｂ’のラベル貼着領域Ｒに貼着されたラベルＬが、剥離するようなことを防止することができる。
【００３４】
なお、上部フレームｃ１と底部ｃ２とはね上げ側壁ｃ３と上部分割側壁ｃ４と下部分割側壁ｃ５とからなる折り畳みコンテナーＣを例に、本発明について説明したが、底部と、底部の相対する一方の辺部に沿って立設された一方の相対する側壁と、底部の相対するもう一方の辺部に沿って立設されたもう一方の相対する側壁とが、一体的に成形された、所謂、ボックスコンテナーに、本発明を適用することができる。このようなボックスコンテナーの場合には、相対する側壁のうち、一方の側壁の内面の上部付近に形成されるラベル貼着領域Ｒに、ラベルＬが貼着されることになる。また、好ましくは、上述した実施例と同様に、相対する側壁のうち、一方の側壁の内壁の上部端部付近に、ラベルＬが貼着されるラベル貼着領域Ｒを形成する。
【００３５】
また、底部と、底部の相対する一方の辺部に、その下部水平部がヒンジ連結された一方の相対する側壁と、底部の相対するもう一方の辺部に、その下部水平部がヒンジ連結されたもう一方の相対する側壁とからなる折り畳みコンテナーに、本発明を適用することができる。このような折り畳みコンテナーは、一方の相対する側壁ともう一方の相対する側壁とが、底部に対して、略垂直に立てられた箱型に組み立てられた状態から、一方の相対する側壁を、底部に重なるように倒し、次いで、もう一方の相対する側壁を、先に、底部に重なるように倒された一方の相対する側壁の上に、重なるように倒すことにより、高さの低いコンパクトな状態に折り畳むことができるように構成されており、また、このように折り畳まれた状態から、後から倒されたもう一方の相対する側壁を、略垂直状態に立て、次いで、先に倒された一方の相対する側壁を、略垂直状態に立てることにより、箱型に組み立てることができるように構成されている。
【００３６】
上述したような、底部と、底部の相対する一方の辺部に、その下部水平部がヒンジ連結された一方の相対する側壁と、底部の相対するもう一方の辺部に、その下部水平部がヒンジ連結されたもう一方の相対する側壁とからなる折り畳みコンテナーの場合には、相対する側壁のうち、一方の側壁の内壁の上部付近に、ラベルＬが貼着されるラベル貼着領域Ｒが形成されることになる。また、好ましくは、上述した実施例と同様に、相対する側壁のうち、一方の側壁の内壁の上部端部付近に、ラベルＬが貼着されるラベル貼着領域Ｒを形成する。
【００３７】
上述したように、運搬容器の相対する側壁のうちの一方の側壁の内面（箱型の運搬容器の内側に位置する面）の上部に、ラベルＬが貼着されるラベル貼着領域Ｒを形成したので、運搬容器への物品収納作業の際には、ラベルＬ’が貼着されるラベル貼着領域が、側壁の外面（箱型の運搬容器の外側に位置する面）に形成された従来の運搬容器への物品収納作業の際のように、作業者Ｐが、ラベルＬ’の表示を見るために、運搬容器から離れる必要がないので、運搬容器への物品収納作業の作業性が向上する。
【００３８】
また、ラベルＬが貼着されるラベル貼着領域Ｒが、運搬容器の相対する側壁の内面の上部のうちの一方の端部領域に形成されることが好ましい。このように構成するとともに、作業者Ｐは、ラベルＬが貼着されるラベル貼着領域Ｒ付近に、最初の物品ａ１を収納し、次いで、次の物品ａ２を、例えば、最初に収納された物品ａ１の手前（作業者Ｐから見て）に収納し、更に、次の物品ａ３を、例えば、１番目に収納された物品ａ１の左側（作業者Ｐから見て）に収納し、更にまた、次の物品ａ４を、例えば、３番目に収納された物品ａ３の手前（作業者Ｐから見て）に収納するような取り決めをしておくことにより、販売店等において、物品ａ１〜ａ４が収納された折り畳みコンテナーＣから、物品ａ１〜ａ４を取り出し、販売店の棚等へ載置する際に、物品ａ１〜ａ４が、ランダムに箱型に組み立てられた折り畳みコンテナーＣに収納されている場合に較べ、販売店の所定の棚に載置される物品ａ１〜ａ４を、箱型に組み立てられた折り畳みコンテナーＣから探し出す必要がないので、箱型に組み立てられた折り畳みコンテナーＣに収納されている物品ａ１〜ａ４の取り出し作業の作業性が向上することになる。
【図面の簡単な説明】
【００３９】
【図１】図１は、本発明の運搬用容器の一例としての折り畳みコンテナーが箱型に組み立てられた状態の斜視図である。
【図２】図２は、本発明の運搬用容器の一例としての折り畳みコンテナーの部分拡大斜視図である。
【図３】図３は、同じく、本発明の運搬用容器の一例としての折り畳みコンテナーの部分拡大斜視図である。
【図４】図４は、本発明の運搬用容器の一例としての別の実施例の折り畳みコンテナーの部分拡大斜視図である。
【図５】図５は、本発明の運搬用容器の一例としての折り畳みコンテナーを用いた物品収納作業を示す概略側面図である。
【図６】図６は、従来の運搬用容器の一例としての折り畳みコンテナーが箱型に組み立てられた状態の斜視図である。
【図７】図７は、従来の運搬用容器の一例としての折り畳みコンテナーの組み立て途中或いは折り畳み途中の斜視図である。
【図８】図８は、従来の運搬用容器の一例としての折り畳みコンテナーが折り畳まれた状態の斜視図である。
【図９】図９は、従来の運搬用容器の一例としての折り畳みコンテナーを用いた物品収納作業を示す概略正面図である。
【図１０】図１０は、従来の運搬用容器の一例としての折り畳みコンテナーを用いた物品収納作業を示す概略側面図である。
【符号の説明】
【００４０】
Ｃ・・・・・・・・折り畳みコンテナー
Ｌ・・・・・・・・ラベル
Ｒ・・・・・・・・ラベル貼着領域
ｃ１・・・・・・・上部フレーム
ｃ２・・・・・・・底部
ｃ３・・・・・・・はね上げ側壁
ｃ４・・・・・・・上部分割側壁
ｃ５・・・・・・・下部分割側壁
【図１】
2008013193.tif 000003
【図２】
2008013193.tif 000004
【図３】
2008013193.tif 000005
【図４】
2008013193.tif 000006
【図５】
2008013193.tif 000007
【図６】
2008013193.tif 000008
【図７】
2008013193.tif 000009
【図８】
2008013193.tif 000010
【図９】
2008013193.tif 000011
【図１０】
2008013193.tif 000012